(57)【特許請求の範囲】
【請求項１】
湯水通路形成本体と、湯水通路形成補助体と、２つの湯水流路切替弁とからなり、
湯水通路形成本体は、有底短円筒形状であって内面部に２つの湯水通路が分離形成され、且つこの２つの湯水通路の一端の各開口は該湯水通路形成本体の外周部側に形成され、且つこの各開口の近傍には各湯水通路に連通する夫々の分岐通路が形成されているとともに、この夫々の分岐通路に連通する孔が該湯水通路形成本体の前面部に夫々形成され、更にこの２つの湯水通路の各他端は該湯水通路形成本体の中央部側で閉塞形成され、
湯水通路形成補助体は、湯水通路形成本体の内面部に係合でき且つ該湯水通路形成本体の２つの湯水通路及び２つの分岐通路に合致する２つの湯水通路及び２つの分岐通路を形成してなる蓋体部と、該蓋体部の裏面中央に立設した筒部とからなり、更に該筒部は湯水通路形成本体の一方の湯水通路に連通し，且つ該筒部の周囲には湯水通路形成本体の他方の湯水通路に連通する湯水通路口が形成され、
２つの湯水流路切替弁は、一端部を開放形成するとともに他端部を閉塞形成し、且つ他端部寄りの大径外壁部に湯水流通孔を形成した円弧状の筒状体と、この筒状体の小径内壁部から鉤状に突出形成された係止片とからなり、湯水通路形成本体の外周部側に形成した各開口の近傍に係止片を枢着して筒状体を開口内で揺動自在となるようにした構成、
または、一端を開放し他端を閉塞した有底円筒状であって、他端寄りの内側に貫通孔を形成した仕切りを有し、この仕切りの上下側の外壁部に、分岐通路側に連通する孔と開口に連通する孔と有して、湯水通路形成本体の外周部側に形成した各開口内に湯水によって往復動するように設ける構成であり、
上記の各湯水流路切替弁によって開口を閉塞した時は該開口に連通する湯水通路と該湯水通路の近傍の分岐通路とが該湯水流路切替弁を介して連通し、湯水流路切替弁によって開口を開放した時は該開口に連通する湯水通路と該湯水通路に連通する分岐通路とが該湯水流路切替弁によって閉塞されるようにした構成を特徴とする湯水通路分離形成具。
【請求項２】
湯水通路形成本体と、湯水通路形成補助体と、２つの浮玉とからなり、
湯水通路形成本体は、有底短円筒形状であって内面部に２つの湯水通路が分離形成され、且つこの２つの湯水通路の一端の各開口は該湯水通路形成本体の外周部側に形成され、且つこの各開口の近傍には各湯水通路に連通する夫々の分岐通路が形成されているとともに、この夫々の分岐通路に連通する孔が該湯水通路形成本体の前面部に夫々形成され、且つこの２つの湯水通路の各他端は該湯水通路形成本体の中央部側で閉塞形成され、更に前記した各開口は、浮玉を内部に移動可能に配設できるように囲い壁部で囲繞して対峙する２か所を開設した構成であって、囲い壁部の内側に配する浮玉によって湯水通路に連通する囲い壁部の開設箇所を、湯水通路形成本体内或いは湯水通路形成本体外の何れかからの湯水の流れによって開閉するようにしてあり、
湯水通路形成補助体は、湯水通路形成本体の内面部に係合でき且つ該湯水通路形成本体の２つの湯水通路及び２つの分岐通路に合致する２つの湯水通路及び２つの分岐通路を形成し、且つ湯水通路形成本体の各囲い壁部を覆うことができるように形成した蓋体部と、該蓋体部の裏面中央に立設した筒部とからなり、更に該筒部は湯水通路形成本体の一方の湯水通路に連通し，且つ該筒部の周囲には湯水通路形成本体の他方の湯水通路に連通する湯水通路口が形成されたことを特徴とする特徴とする湯水通路分離形成具。
【発明の詳細な説明】
【０００１】
【発明の属する技術分野】
本発明は、浴槽と給湯装置との間で湯水を強制循環させるために、浴槽の側面部に穿設した孔に取り付ける湯水循環接続金具に内蔵される湯水通路分離形成具に関するものである。
【０００２】
【従来の技術】
一般に各家庭等に設置されている浴槽１０１（図２５参照）には、例えば屋外に設置した給湯装置１０２と、室内に設置した浴槽１０１との間で湯水を強制循環させるため、浴槽１０１の側面部１０３に穿設した孔１０４に湯水循環接続金具１０５を取り付け、この湯水循環接続金具１０５に湯水往路用接続管１０６並びに湯水復路用接続管１０７及び延長接続管１０８、１０９を接続し、さらにこの延長接続管１０８、１０９を給湯装置１０２に接続して給湯装置１０２と浴槽１０１とを繋いでいる。
【０００３】
そして給湯装置１０２に内蔵された循環ポンプ（図示せず）を作動させることによって、浴槽１０１内の湯水を湯水往路用接続管１０６並びに湯水復路接続管１０７及び延長接続管１０８、１０９を介して給湯装置１０２との間で強制循環させるとともに、循環させる湯水を給湯装置１０２内の燃焼部（図示せず）で加熱している。
【０００４】
この湯水循環接続金具１０５は、浴槽内に臨む部分にフイルターキャップ１１０を有している。湯水は給湯装置１０２に内蔵された循環ポンプ（図示せず）によって、フイルターキャップ１１０の外周面に形成した２つのフイルター孔１１１（片側図示せず）の内、一方のフイルター孔１１１ａから浴槽内の湯水を吸引して給湯装置１０２側に戻している。また、この給湯装置１０２側に戻された湯水は、給湯装置１０２から吐出されて、もう一方のフイルター孔（図示せず）、及びフイルターキャップ１１０の前面部に設けたフイルター孔１１２から浴槽内に吐出される。
【０００５】
【発明が解決しようとする課題】
ところが、上記のような従来の湯水循環接続金具１０５では、該湯水循環接続金具１０５の湯水の吐出口にはフイルター孔が設けられているため、湯水に含まれる塵や湯垢が湯水循環接続金具１０５の内側からフイルター１１３に付着し、湯水の吐出口（フイルター孔）での圧力損失を大きくしてしまう要因になっていた。また、フイルターキャップ１１０の前面部のフイルター孔１１１からも熱い湯が吐出される構造であったため、フイルターキャップ１１１の傍で入浴するのを意識的に避けねばならなかった。
【０００６】
本発明は前記のような点に鑑みて開発されたものであり、その目的とするところは、入浴者の身体に熱い湯が直接当るのを回避できるとともに、浴槽内への湯水の吐出口での圧力損失を低減することができるようにした湯水通路分離形成具を提供することにある。
【０００７】
【課題を解決するための手段】
本発明は前記目的を有効に達成するために、次のような構成にしてある。すなわち、請求項１記載の本発明の湯水通路分離形成具は、湯水通路形成本体と、湯水通路形成補助体と、２つの湯水流路切替弁とからなり、湯水通路形成本体は、有底短円筒形状であって内面部に２つの湯水通路が分離形成され、且つこの２つの湯水通路の一端の各開口は該湯水通路形成本体の外周部側に形成され、且つこの各開口の近傍には各湯水通路に連通する夫々の分岐通路が形成されているとともに、この夫々の分岐通路に連通する孔が該湯水通路形成本体の前面部に夫々形成され、更にこの２つの湯水通路の各他端は該湯水通路形成本体の中央部側で閉塞形成され、湯水通路形成補助体は、湯水通路形成本体の内面部に係合でき且つ該湯水通路形成本体の２つの湯水通路及び２つの分岐通路に合致する２つの湯水通路及び２つの分岐通路を形成してなる蓋体部と、該蓋体部の裏面中央に立設した筒部とからなり、更に該筒部は湯水通路形成本体の一方の湯水通路に連通し，且つ該筒部の周囲には湯水通路形成本体の他方の湯水通路に連通する湯水通路口が形成され、２つの湯水流路切替弁は、一端部を開放形成するとともに他端部を閉塞形成し、且つ他端部寄りの大径外壁部に湯水流通孔を形成した円弧状の筒状体と、この筒状体の小径内壁部から鉤状に突出形成された係止片とからなり、湯水通路形成本体の外周部側に形成した各開口の近傍に係止片を枢着して筒状体を開口内で揺動自在となるようにした構成、または、一端を開放し他端を閉塞した有底円筒状であって、他端寄りの内側に貫通孔を形成した仕切りを有し、この仕切りの上下側の外壁部に、分岐通路側に連通する孔と開口に連通する孔と有して、湯水通路形成本体の外周部側に形成した各開口内に湯水によって往復動するように設ける構成であり、上記の各湯水流路切替弁によって開口を閉塞した時は該開口に連通する湯水通路と該湯水通路の近傍の分岐通路とが該湯水流路切替弁を介して連通し、湯水流路切替弁によって開口を開放した時は該開口に連通する湯水通路と該湯水通路に連通する分岐通路とが該湯水流路切替弁によって閉塞されるようにした構成にしてある。
【０００８】
請求項２記載の本発明の湯水通路分離形成具は、湯水通路形成本体と、湯水通路形成補助体と、２つの浮玉とからなり、  湯水通路形成本体は、有底短円筒形状であって内面部に２つの湯水通路が分離形成され、且つこの２つの湯水通路の一端の各開口は該湯水通路形成本体の外周部側に形成され、且つこの各開口の近傍には各湯水通路に連通する夫々の分岐通路が形成されているとともに、この夫々の分岐通路に連通する孔が該湯水通路形成本体の前面部に夫々形成され、且つこの２つの湯水通路の各他端は該湯水通路形成本体の中央部側で閉塞形成され、更に前記した各開口は、浮玉を内部に移動可能に配設できるように囲い壁部で囲繞して対峙する２か所を開設した構成であって、囲い壁部の内側に配する浮玉によって湯水通路に連通する囲い壁部の開設箇所を、湯水通路形成本体内或いは湯水通路形成本体外の何れかからの湯水の流れによって開閉するようにしてあり、湯水通路形成補助体は、湯水通路形成本体の内面部に係合でき且つ該湯水通路形成本体の２つの湯水通路及び２つの分岐通路に合致する２つの湯水通路及び２つの分岐通路を形成し、且つ湯水通路形成本体の各囲い壁部を覆うことができるように形成した蓋体部と、該蓋体部の裏面中央に立設した筒部とからなり、更に該筒部は湯水通路形成本体の一方の湯水通路に連通し，且つ該筒部の周囲には湯水通路形成本体の他方の湯水通路に連通する湯水通路口が形成された構成にしてある。
【０００９】
【発明の実施の形態】
本発明の実施の形態を添付の図に基づいて説明する。図１に示すように本発明に係る一例の湯水通路分離形成具１は、湯水通路形成本体２と、湯水通路形成補助体３と、２つの湯水流路切替弁４，５及びストッパー１５，１６（図３参照）によって構成されている。
【００１０】
湯水通路形成本体２は、図１〜図４に示すように合成樹脂によって一体的に形成された有底短円筒形状のものであって、内面部６（図３参照）には２つの湯水通路７，８が分離形成され、一方の湯水通路７は湯水往路用通路７ａとして使用され、他方の湯水通路８は湯水復路用通路８ａとして使用される。勿論、湯水通路７を湯水復路用通路として使用し、湯水通路８を湯水往路用通路として使用してもよい。
【００１１】
上記した２つの湯水通路７，８の一端は、湯水通路形成本体２の外周部側９に位置し、夫々の開口７ｂ，８ｂを形成してある。この一方の開口７ｂの近傍には、分岐路口１０ａを介して湯水通路７に連通する分岐通路１０が形成され、もう一方の開口８ｂの近傍には、分岐路口１１ａを介して湯水通路８に連通する分岐通路１１が形成されている。更にこの分岐通路１０に連通する孔１０ｂと、分岐通路１１に連通する孔１１ｂとが、夫々湯水通路形成本体２の前面部１２に形成されている。
【００１２】
湯水通路形成本体２の各開口７ｂ，８ｂ（図３参照）の傍には、夫々の湯水流路切替弁４，５を揺動自在に係止するための係止孔１３，１４が形成され、更にこの各係止孔１３，１４の近傍には係止凸部２８が形成されている。この係止凸部２８には、各湯水流路切替弁４，５の移動を阻止するストッパー１５，１６を取り付けられるようにしてある。
【００１３】
上記した２つの湯水通路７，８は、夫々湯水通路形成本体２の中央に導くように形成され、一方の湯水通路７の他端７ｃは湯水通路形成本体２の中央（中心位置）で閉塞形成されている。またもう一方の湯水通路８の他端８ｃは、湯水通路７の他端７ｃ近傍に隣接するようにして閉塞形成されている。
【００１４】
１７は湯水通路形成本体２の外周近傍の３箇所に等間隔に形成された貫通孔であって、この貫通孔１７は湯水通路形成本体２と後述する中間通路接続具１８（図９参照）とをネジ２７で連結するためのネジ２７用の孔である。
【００１５】
次ぎに湯水通路形成補助体３（図１，図５，図６参照）は、蓋体部１９と筒部２０とからなる。蓋体部１９は、湯水通路形成本体２の内面部６に係合して湯水通路形成本体２の２つの湯水通路７，８及び２つの分岐通路１０，１１を覆うことができる有底短小円筒形状のものである。
【００１６】
この蓋体部１９の前面部１９ａには、この前面部１９ａを湯水通路形成本体２の内面部６に係合させたとき、湯水通路形成本体２の内面部６に形成した２つの湯水通路７，８及び２つの分岐通路１０，１１と合致する２つの湯水通路２１，２２と、２つの分岐通路２３，２４が形成されている。更にこの蓋体部１９には、湯水通路形成本体２の内面部６に係合させた時、湯水通路形成本体２の一方の湯水通路８の他端８ｃ近傍の通路部２５（図３参照）に連通する湯水通路口２６が、筒部２０の傍の周囲に貫通形成されている。
【００１７】
また筒部２０は、蓋体部１９の中央から後方に突出するように形成されていて、蓋体部１９の前面部１９ａを湯水通路形成本体２の内面部６に係合させた時（図９参照）、筒部２０の内側通路部２０ａが湯水通路形成本体２の湯水通路７に連通するようにしてある。尚、蓋体部１９は、湯水通路形成本体２の内面部６に形成した２つの湯水通路７，８及び２つの分岐通路１０，１１を、湯水通路形成本体２の内面部６側から単に蓋するものであってもよい。
【００１８】
次ぎに湯水流路切替弁４，５（図７、図８参照）は、円弧状の筒状体２９，３０と、この筒状体２９の小径内壁部２９ａ，３０ａから鉤状に突出形成された係止片３１，３２とからなる。
【００１９】
湯水流路切替弁４，５の各筒状体２９，３０は、一端部２９ｂ，３０ｂを開放形成するとともに他端部２９ｃ，３０ｃを閉塞形成してある。更に各筒状体２９，３０の他端部２９ｃ，３０ｃ寄りの大径外壁部２９ｄ，３０ｄには、湯水流通孔２９ｅ，３０ｅが形成されている。
【００２０】
この湯水流路切替弁４，５は、係止片３１，３２を湯水通路形成本体２の係止孔１３，１４（図３参照）に係合させて、湯水流路切替弁４，５を湯水通路７、８の内外方向に揺動して各開口７ｂ、８ｂから出没できるようにしてある。
【００２１】
また、ストッパー１５，１６（図７，８参照）は、円弧状で一端側に係合凹部１５ａ，１６ａが形成され、この係合凹部１５ａ，１６ａを湯水通路形成本体２の係止凸部２８（図３参照）に係合させることによって該ストッパー１５，１６を湯水通路形成本体２に取り付けられるようにしてある。この各ストッパー１５，１６は、湯水通路形成本体２（図３参照）に係止した各湯水流路切替弁４，５が外方向に移動した時に、各湯水流路切替弁４，５を所定の位置で停止させるためのものである。湯水通路形成本体２の係止凸部２８に取り付けたストッパー１５，１６の他端１５ｂ、１６ｂには、揺動する湯水流路切替弁４，５（図３参照）の係止片３１，３２が当たる。尚、各ストッパー１５，１６は湯水通路形成本体２に一体的に形成してもよい。
【００２２】
上記のような構成からなる各湯水流路切替弁４，５及び各ストッパー１５，１６は、湯水通路形成本体２（図３参照）に取り付けられ、この湯水通路形成本体２の内面部６（図９参照）と、湯水通路形成補助体３の蓋体部１９の前面部１９ａとを対峙させて係合させることによって、本発明に係る湯水通路分離形成具１は構成される。
【００２３】
そしてこの湯水通路分離形成具１は、図１０に示すような他の部品３４、１８、４５、４６とともに図示の順に組み合わせて湯水循環接続金具３３として使用される。
【００２４】
此処で上記の他の部品３４、１８、４５、４６を説明すると、先ず３４はフイルターキャップであって、このフイルターキャップ３４（図１０、図１１参照）は有底短円筒状であって外周部の２か所に切欠孔３５（片側図示せず）が形成してあり、前面にはフイルター３６で被覆した多数の湯水用孔３７が形成されている。このフイルターキャップ３４は、湯水通路形成本体２の前面部１２側から該湯水通路形成本体２に嵌着される。この時、各切欠孔３５（片側図示せず）は、湯水通路形成本体２の各開口７ｂ、８ｂ（図３参照）に一致するように形成してある。
【００２５】
中間通路接続具１８は、鍔部３８と筒部４９とからなり、鍔部３８には所定間隔を以て複数の凸部４０が形成されている。各凸部４０にはネジ孔４１が形成され、また、筒部３９の外周面には雄ねじ部４２が形成されている。この中間通路接続具１８は、図９に示すように湯水通路分離形成具１の後部側から湯水通路形成補助体３に係合させることにより、湯水通路形成補助体３の蓋体部１９は中間通路接続具１８の多数の凸部４０の内側に位置する。この時、中間通路接続具１８の筒部３９内の通路４３は、湯水通路形成補助体３の筒部２０によって２つの通路に分離され、一方の通路は筒部２０と筒部３９との間にできる湯水通路４４であり、もう一方の通路は筒部２０内の内側通路部２０ａである。この中間通路接続具１８は、湯水通路形成補助体３を介しネジ２７で湯水通路形成本体２に固定される。ネジ２７は中間通路接続具１８の所定の凸部４０のネジ孔４１に螺着される。
【００２６】
また、循環口ボディー４６は、大径筒部４８と円筒部４９と湯水接続管５０及び湯水接続管５２とからなる。大径筒部４８は内周面に雌ねじ部４７を形成してあり、中間通路接続具１８の筒部３９の雄ねじ部４２と螺合できるようにしてある。円筒部４９は、湯水通路分離形成具１の湯水通路形成補助体３の筒部２０を挿着できるように形成してある。この円筒部４９内に連通するようにして循環口ボディー４６の後部には湯水接続管５０が接続されている。また、大径筒部４８と円筒部４９との隙間のボディー通路５１に連通するようにして循環口ボディー４６の後部には湯水接続管５２が接続されている。各湯水接続管５０、５２は各延長接続管（図示せず）を介して給湯装置（図示せず）に接続される。
【００２７】
上記のようにして他の部品と組み合わされた図９に示す状態の本発明に係る湯水通路分離形成具１は、浴槽の側面部に穿設した孔の箇所に浴槽内から配されるとともに、浴槽外に配した循環口ボディー４６（図１０参照）と接続される。
【００２８】
前記のようにして浴槽に取り付けられた湯水循環接続金具３３は、各延長接続管（図示せず）を介して給湯装置（図示せず）との間で湯水を強制循環させた場合、本発明に係る湯水通路分離形成具１の各湯水流路切替弁４，５は、図１２〜図１５に示すように作動する。
【００２９】
各湯水流路切替弁４，５の作動を次ぎに説明する。尚、湯水通路分離形成具１に形成した湯水通路７を湯水往路用通路７ａとし、湯水通路８は湯水復路用通路８ａとして使用した場合について説明する。
【００３０】
給湯装置（図示せず）で加熱された湯水は、ポンプ（図示せず）によって各延長接続管（図示せず）、湯水接続管５０（図１０参照）を介して循環口ボディー４６の円筒部４９内を通り、湯水通路形成補助体３の筒部２０の内側通路部２０ａに流入してくる。
【００３１】
この内側通路部２０ａに入った湯水は、湯水通路分離形成具１の湯水通路７（７ａ）（図３参照）を通って湯水流路切替弁４の筒状体２９内（図１２参照）に流入し、この筒状体２９の他端部３０ｃを内側から水圧によって押す。このことにより湯水流路切替弁４は外側に移動（図１３参照）し、ストッパー１５（図３参照）に当たって停止する。この湯水流路切替弁４の作動によって分岐路口１０ａを介して分岐通路１０と連通する位置にあった湯水流路切替弁４の湯水流通孔３０ｅは、開口７ｂの外側まで移動（図１３の状態）する。そして湯水通路７（７ａ）内の湯水は、この湯水流路切替弁４の湯水流通孔３０ｅを通り、フイルターキャップ３４の一方の切欠孔３５（図１０参照）を介して浴槽内に吐出される。
【００３２】
一方、湯水通路７（７ａ）と連通する分岐路口１０ａは、湯水流路切替弁４の開口７ｂの外側への移動に伴って、湯水流路切替弁４の大径外壁部３０ｄ（図１３参照）によって閉塞される。したがって、湯水通路７（７ａ）内の湯水が分岐通路１０から孔１０ｂを通ってフイルターキャップ３４の前面の湯水用孔３７（図１０、図１１参照）から吐出するのを阻止することができる。
【００３３】
また、もう一方の湯水流路切替弁５は、上記した湯水流路切替弁４の作動に伴って図１４〜図１５に示す動作をする。この場合、給湯装置（図示せず）のポンプによって浴槽内の湯水は給湯装置側に戻される。
【００３４】
すなわち、浴槽内からの戻り湯水は、フイルターキャップ３４（図１０参照）の湯水用孔３７からフイルター３６、孔１１ｂを介して分岐通路１１に入り、湯水通路分離形成具１の湯水通路８（８ａ）を通り、湯水通路形成補助体３の蓋体部１９の湯水通路口２６を通って中間通路接続具１８の湯水通路４４（図９参照）に導かれ、更に循環口ボディー４６（図１０参照）のボディー通路５１から湯水接続管５２、延長接続管（図示せず）を通って給湯装置側に戻される。
【００３５】
この時、給湯装置（図示せず）のポンプ（図示せず）の吸引作用によって湯水通路分離形成具１に取り付けた湯水流路切替弁５（図１４参照）は、開口８ｂから湯水通路８（８ａ）内側に移動（図１５参照）する。このことにより、開口８ｂは湯水流路切替弁５の端部２９ｃによって閉塞されるとともに、湯水流路切替弁５の湯水流通孔２９ｅが分岐路口１１ａに移動し、分岐通路１１と湯水通路８（８ａ）とを連通させる。
【００３６】
このように湯水通路分離形成具１に取り付けた両湯水流路切替弁４，５は、給湯装置（図示せず）のポンプ（図示せず）によって浴槽内と給湯装置との間を往復動する湯水の作用によって移動し、フイルターキャップ３４の孔３７（図１０参照）から熱い湯水が吹き出すこともなく湯水を循環させることができる。また、フイルターキャップ３４の切欠孔３５がフイルターのない開口状態であっても、湯水流路切替弁５の端部２９ｃが湯水通路分離形成具１の開口８ｂを閉塞するので、湯垢や塵が湯水通路８（８ａ）内に入ろうとするのを阻止することができる。
【００３７】
図１６は湯水流路切替弁４の大径外壁部３０ｄの先端に永久磁石５５を取り付け、この永久磁石５５と磁着する湯水通路形成本体２の位置に永久磁石５６を取り付けた例の説明図である。水圧によって湯水流路切替弁４が湯水通路７（７ａ）内に入り込んだ時、永久磁石５５，５６同士が磁着して、該湯水流路切替弁４を図示の位置に確実に保持することができる。
【００３８】
また、湯水が湯水通路７（７ａ）内から開口７ｂを通って吐出される場合は、この湯水の水圧が永久磁石５５，５６同士の磁力に抗して湯水流路切替弁４を開口７ｂ位置の外側に移動させ、開口７ｂの位置に孔３０ｅが位置して開口７ｂを開放することができる。この時、分岐路口１０ａは大径外壁部３０ｄによって閉塞される。
【００３９】
また、上記と同様にして、湯水流路切替弁５に上記の永久磁石５５を取り付けるとともに、湯水通路８（８ａ）側にも永久磁石５６を取り付けることによって、この湯水流路切替弁５も湯水流路切替弁４と同様の作用をすることができる。
【００４０】
図１７は、また別の形状の湯水流路切替弁４，５を使用した例を示す説明図であって、この湯水流路切替弁４，５は、一端５７を開放し他端５８を閉塞した有底円筒状であり、他端５８寄りの内側には貫通孔５９を形成した仕切り６０が形成してある。この仕切り６０の上下側の外壁部６１には、分岐通路１０，１１側に連通する孔６２，６３と、開口７ｂ，８ｂに連通する孔６４，６５とが形成されている。
【００４１】
この湯水流路切替弁４，５も、給湯装置（図示せず）のポンプ（図示せず）によって浴槽内と給湯装置との間を往復動する湯水の作用によって移動する。湯水流路切替弁４，５の孔６２，６３が分岐通路１０と連通する位置に移動した時は、開口７ｂ，８ｂは湯水流路切替弁４，５の他端５８によって閉塞される（図では湯水流路切替弁４側の図示の状態である）。
【００４２】
また、湯水流路切替弁４，５が外方に移動し、外壁部６１によって分岐通路１０，１１と各湯水通路７、８との連通を閉塞した時は、各湯水通路７、８の湯水は、孔５９と孔６４、孔５９と孔６５を介して開口７ｂ，８ｂの外側に吐出されることになる（図１７では湯水流路切替弁５側の図示の状態である）。
【００４３】
また、図１８は、前記した有底円筒状の各湯水流路切替弁４，５（片側図示せず）の先端に永久磁石５５を取り付けるとともに、この永久磁石５５と磁着する永久磁石５６を湯水通路形成本体２（又は湯水通路形成補助体３、図示せず）所定位置に取り付けた説明図である。湯水流路切替弁４の動作について説明すると、この湯水流路切替弁４が湯水通路７（７ａ）内に入り込んだ時、永久磁石５５，５６同士が磁着して、該湯水流路切替弁４に図示の位置に確実に保持することができる。
【００４４】
尚、上記した本発明に係る湯水通路分離形成具１では、湯水通路形成本体２に各湯水流路切替弁４、５を取り付けた構成であるが、湯水通路形成補助体３に各湯水流路切替弁４、５を取り付けて、図示した湯水通路分離形成具１と同様の作用・効果を奏するようにしてもよい。
【００４５】
図１９〜図２４は本発明に係る湯水通路分離形成具の別の例に関する図であって、図１９はこの例の湯水通路形成本体２の裏面図、図２０はこの例の湯水通路形成補助体３の正面図、図２１〜図２４は使用時におけるこの例の要部を示す説明図である。
【００４６】
この例では、浮体７０，７１を使用して開口７ｂ、８ｂを開閉するようにしてある。すなわち、この例の湯水通路形成本体２（図１９参照）に形成した２つの湯水通路７，８の各開口７ｂ，８ｂには、水よりも比重の軽い浮玉７０，７１を収納するための囲い壁部７２，７３が形成されている。各囲い壁部７２，７３の湯水通路７，８側の中央部分には、浮玉７０，７１によって開閉することができる小通路７４、７５が開口形成されている。また、この各小通路７４、７５と対峙する位置には、外方に連通するための小通路７６、７７が形成されている。湯水通路７は小通路７４、７６を介して外方に連通するようにしてあり、湯水通路８は小通路７５、７７を介して外方に連通するようにしてある。各小通路７６，７７は、囲い壁部７２，７３内に収納される浮玉７０，７１が外方に出ない大きさにしてある。
【００４７】
また、この例の湯水通路形成補助体３は、図２０に示すように前記した湯水通路形成本体２の各湯水通路７，８、並びに各湯水通路７，８に連通する分岐通路１０、１１、及び囲い壁部７２，７３を覆うことができるように形成されている。湯水通路形成補助体３に形成した各囲い壁部７８，７９は、湯水通路形成本体２の各囲い壁部７２，７３と殆ど同じ形状であり、湯水通路形成補助体３を湯水通路形成本体２に係合させた場合、湯水通路形成本体２の囲い壁部７２と湯水通路形成補助体３の囲い壁部７９、並びに湯水通路形成本体２の囲い壁部７３と湯水通路形成補助体３の囲い壁部７８とで囲まれる中で、夫々の浮玉７０，７１は自由に動くことができる。尚、他の構成は前記した湯水通路分離形成具と殆ど同じであり、同一符号を付して説明を省略する。
【００４８】
次にこの例の湯水通路形成本体２と湯水通路形成補助体３及び浮玉７０，７１からなる湯水通路分離形成具では、給湯装置（図示せず）のポンプの作動によって、図２１に示すように湯水通路７から開口７ｂ側に湯水が吐出される場合は、浮体７０は湯水通路７からの水圧によって小通路７４から離れ、小通路７６を閉鎖することもなく水流によって囲い壁部７２（７９）内で動き回っている。このことにより、湯水通路７からの湯水は小通路７４、７６を通って浴槽内に吐出される。
【００４９】
この時、もう一方の開口８ｂ（図２２参照）では、浮体７１は、分岐通路１１から湯水通路８に流入する湯水の勢いと浮体７１の浮力によって小通路７５を塞ぎ、浴槽内からの戻り湯水は、フイルターキャップ３４（図１１参照）の湯水用孔３７からフイルター３６、孔１１ｂを介して分岐通路１１、湯水通路８に流入して給湯装置側に戻される。
【００５０】
また、湯水通路７を湯水復路用通路とし、湯水通路８を湯水復路用通路として使用した場合は、浮体７０，７１は、前記した動作と逆の動きを成す。すなわち、湯水通路７が湯水復路用通路となる時は、図２３に示すように浮体２７０は浴槽内から分岐通路１０、湯水通路８に流入する湯水の勢いと浮体７０の浮力によって小通路７４を塞ぎ、浴槽内からの戻り湯水は、フイルターキャップ３４（図１１参照）の湯水用孔３７からフイルター３６、孔１１ｂを介して分岐通路１０、湯水通路７に流入して給湯装置側に戻される。
【００５１】
この時、もう一方の開口８ｂ（図２４参照）では、浮体７１は、湯水通路８から開口８ｂ側に湯水が吐出される場合は、浮体７１は湯水通路８からの水圧によって小通路７５から離れ、小通路７７を閉鎖することもなく水流によって囲い壁部７３（７８）内で動き回っている。このことにより、湯水通路８からの湯水は小通路７５、７７を通ってフイルターキャップ３４（図９参照）の切欠孔３５を介して浴槽内に吐出される。
【００５２】
このように浮体７０、７１を使用した構成にすることによって、開口７ｂ、８ｂの開閉操作を簡単に行うことができ、また湯水流路切替弁４、５を使用した構成に比べ構成を簡単にすることができる。
【００５３】
【発明の効果】
以上、上述のように本発明の湯水通路分離形成具では、この湯水通路分離形成具を内蔵した湯水循環接続金具を浴槽の側面部に穿設した孔の箇所に取り付け、この湯水循環接続金具と接続した燃焼装置によって湯水を浴槽との間で強制循環させながら沸かすことにより、湯水通路形成本体の２つの湯水通路の各開口に設けた各湯水流路切替弁が湯水の流れによって自然に作動して湯水の流れる通路を切替えることができる。そのため、湯水通路分離形成具の前面部から熱い湯水が浴槽内に吐出されるのを防止することができる。
【００５４】
また、塵等の湯水通路分離形成具への流入も各湯水流路切替弁によって阻止することができ、塵等によって湯水通路分離形成具内の湯水通路の圧力損失に悪影響を及ぼすといったことを防止することができる。
【００５５】
また、フイルターキャップの外周面のフイルター孔にはフイルターを取り付けなくとも、上記のように塵等が湯水通路分離形成具へ流入するのを湯水流路切替弁によって阻止できる。したがって、フイルターキャップを湯水通路分離形成具に嵌着した状態でも、フイルターキャップの外周面のフイルター孔（この場合は単なる孔）から内部をチェックすることができる。
【００５６】
また、浮玉によって各開口を開閉できるようにすることによって、湯水流路切替弁を設けた構成に比べ開口部分の構成を簡単にすることができ、湯水通路分離形成具の製造コストを低減できるとともに、組み立て・取り付け作業も簡単に行うことができる。
【図面の簡単な説明】
【図１】本発明に係る一例の湯水通路分離形成具である。
【図２】湯水通路形成本体の平面図である。
【図３】湯水通路形成本体の裏面図である。
【図４】湯水通路形成本体の正面図である。
【図５】湯水通路形成補助体の正面図である。
【図６】湯水通路形成補助体の縦断面図である。
【図７】湯水流路切替弁４とストッパー１５の斜視図である。
【図８】湯水流路切替弁５とストッパー１６の斜視図である。
【図９】湯水通路分離形成具と他の部品とを組み合わせた縦断面である。
【図１０】本発明に係る湯水通路分離形成具を内蔵する一例の湯水循環接続金具の分解斜視図である。
【図１１】図１０の左側から見た一部切欠の側面図である。
【図１２】本発明の要部である湯水流路切替弁４の動作を示す説明図である。
【図１３】本発明の要部である湯水流路切替弁４の動作を示す説明図である。
【図１４】本発明の要部である湯水流路切替弁５の動作を示す説明図である。
【図１５】本発明の要部である湯水流路切替弁５の動作を示す説明図である。
【図１６】本発明の要部である他の例の湯水流路切替弁の説明図である。
【図１７】本発明の要部である別の例の湯水流路切替弁の説明図である。
【図１８】本発明の要部であるまた別の例の湯水流路切替弁の説明図である。
【図１９】浮玉を配した本発明に係る他の例の湯水通路形成本体の裏面図である。
【図２０】本発明に係る他の例の湯水通路形成補助体の正面図である。
【図２１】図１９の湯水通路形成本体を使用した時の浮体７０と小通路７４との関係を示す作動説明図である。
【図２２】図１９の湯水通路形成本体を使用した時の浮体７１と小通路７５との関係を示す作動説明図である。
【図２３】図１９の湯水通路形成本体を使用した時の浮体７０と小通路７４との関係を示す作動説明図である。
【図２４】図１９の湯水通路形成本体を使用した時の浮体７１と小通路７５との関係を示す作動説明図である。
【図２５】浴槽に湯水循環接続金具を取り付けた使用状態を示す説明図である。
【符号の説明】
１   湯水通路分離形成具
２   湯水通路形成本体
３   湯水通路形成補助体
６   内面部
７ｂ 開口
４   湯水流路切替弁
５   湯水流路切替弁
７   湯水通路
８   湯水通路
８ｂ 開口
９   湯水通路形成本体の外周部側
１０ 湯水通路形成本体の分岐通路
１１ 湯水通路形成本体の分岐通路
１０ｂ 分岐通路に連通する孔
１１ｂ 分岐通路に連通する孔
１２   湯水通路形成本体の前面部
１９   蓋体部
２０   筒部
２１   湯水通路形成補助体の湯水通路
２２   湯水通路形成補助体の湯水通路
２３   湯水通路形成補助体の分岐通路
２４   湯水通路形成補助体の分岐通路
２６   湯水通路口
７０   浮玉
７１   浮玉
７２   囲い壁部
７３   囲い壁部
【図１】
0003902314.tif 000002
【図２】
0003902314.tif 000003
【図３】
0003902314.tif 000004
【図４】
0003902314.tif 000005
【図５】
0003902314.tif 000006
【図６】
0003902314.tif 000007
【図７】
0003902314.tif 000008
【図８】
0003902314.tif 000009
【図９】
0003902314.tif 000010
【図１０】
0003902314.tif 000011
【図１１】
0003902314.tif 000012
【図１２】
0003902314.tif 000013
【図１３】
0003902314.tif 000014
【図１４】
0003902314.tif 000015
【図１５】
0003902314.tif 000016
【図１６】
0003902314.tif 000017
【図１７】
0003902314.tif 000018
【図１８】
0003902314.tif 000019
【図１９】
0003902314.tif 000020
【図２０】
0003902314.tif 000021
【図２１】
0003902314.tif 000022
【図２２】
0003902314.tif 000023
【図２３】
0003902314.tif 000024
【図２４】
0003902314.tif 000025
【図２５】
0003902314.tif 000026